(57)【特許請求の範囲】
【請求項１】
開口部内側面に互いに咬み合う合成樹脂製咬合具（２）を備えた合成樹脂製袋体において、袋体収納部側の表裏フィルム（１，１）間に、保形性を有し前記表裏フィルム（１，１）に対し内容物を挟み付けた状態となし得る多数の凹凸加工が施された偏在防止用合成樹脂製シート（３）を介在し、_かつ前記咬合具（２）と前記偏在防止用合成樹脂製シート（３）の凹凸加工部（３ａ）との間に、内容物が一杯に詰まったときに前記咬合具（２）に直接内容物による開口圧力がかからないようにするための間隔（Ｈ）を確保して、前記偏在防止用合成樹脂製シート（３）を袋本体表裏フィルム（１，１）間に接着固定するようにしたことを特徴とする合成樹脂製咬合具付きの袋体。
【請求項２】
開口部内側面に互いに咬み合う合成樹脂製咬合具（１２）を備えた合成樹脂製袋体において、前記袋体の表裏何れか一方について、保形性を有し表裏何れか他方に対し内容物を挟み付けた状態となし得る多数の凹凸加工が施された偏在防止用合成樹脂製シート（１３）により形成し、かつ前記咬合具（１２）と前記偏在防止用合成樹脂製シート（１３）の凹凸加工部（１３ａ）との間に、内容物が一杯に詰まったときに前記咬合具（２）に直接内容物による開口圧力がかからないようにするための間隔（Ｈ）を確保する平坦部（１３ｂ）が設けられていることを特徴とする合成樹脂製咬合具付きの袋体。
【発明の詳細な説明】
【０００１】
【発明の属する技術分野】
本発明は１合成樹脂製咬合具付きの合成樹脂製袋体に関するものである。
【０００２】
【従来技術】
合成樹脂製咬合具付きの袋体は、内容物が一杯に収納されて、咬合具に張力がかかった場合，多少の衝撃で咬合具が内側から開いてしまうことがある。
【０００３】
また、内容物が少なくても、袋体が落下すると、そのショックで咬合具が開く。あるいはまた、吊下げ陳列の場合や、顧客が手にとって品定めをするとき、内容物が底に固まった状態におかれると、外観からみた商品価値が低下することがある。
【０００４】
このような内容物の偏在を防止するため、実開昭６２−３１０３６号（前者）、実開平１−１３４０３４号などが提案された。しかしながら、前者の場合は、内容物が粉状物であるときは適用できるが、内容物の単位が固形体のときは適当でない。また後者の場合は、袋体自体が保形性があれば適用できるが、一般の合成樹脂製袋体のように保形性が小さい場合は袋体が膨らむため効果的に疑義が生じる。
【０００５】
【発明が解決しようとする課題】
合成樹脂製咬合具付き合成樹脂製袋体において、落下などのショックにより、あるいは内容物が一杯に詰まった場合に、咬合具が簡単に開かないようにするとともに、内容物の見栄えを良くしようとする。
【０００６】
（第１発明の技術的手段）
開口部内側面に互いに咬み合う合成樹脂製咬合具２を備えた合成樹脂製袋体において、袋体収納部側の表裏フィルム１，１間に、保形性を有し前記表裏フィルム１，１に対し内容物を挟み付けた状態となし得る多数の凹凸加工が施された偏在防止用合成樹脂製シート３を介在し、かつ前記咬合具２と前記偏在防止用合成樹脂シート３の凹凸加工部３ａとの間に、内容物が一杯に詰まったときに前記咬合具２に直接内容物による開口圧力がかからないようにするための間隔Ｈを確保するようにして、前記偏在防止用合成樹脂シート３を袋本体表裏フィルム１，１間に接着固定するようにした。
かかる結果として内容物の圧力が直接咬合具２にかからないようにしたことを特徴とする合成樹脂製咬合具付きの袋体である。
【０００７】
（第２発明の技術的手段）
開口部内側面に互いに咬み合う合成樹脂製咬合具１２を備えた合成樹脂製袋体において、前記袋体の表裏何れか一方について保形性を有し表裏何れか他方に対じ内容物を挟み付けた状態となし得る多数の凹凸加工が施された偏在防止用合成樹脂製シート１３により形成し、かつ前記咬合具１２と前記偏在防止用合成樹脂製シート１３の凹凸加工部１３ａとの間に、内容物が一杯に詰まったときに前記咬合具２に直接内容物による開口圧力がかからないようにするための間隔Ｈを確保する平坦部１３ｂが設けられていることを特徴とする合成樹脂製咬合具付きの袋体である。
【０００８】
（第１発明の効果）
咬合具２と偏在防止用合成樹脂シート３の凹凸加工部３ａとの間に、間隔Ｈを確保するようにしたので、内容物が一杯に詰まったときに咬合具２に直接内容物による開口圧力がかかることなく、咬合具２は容易に開かない。
【０００９】
（第２発明の効果）
一方の袋体のフィルムを偏在防止用合成樹脂シート１３により形成したので、第１発明の袋休に比べ材料が節減できる。また偏在防止用合成樹脂シート１３の凹凸加工部１３ａと咬合具１２との間に、内容物が一杯に詰まったときに前記咬合具２に直接内容物による開口圧力がかからないようにするための間隔Ｈを設けたので、咬合具１２に直接内容物による開口圧力がかからない。したがって咬合具１２は容易に開かない。
【００１０】
【発明の実施の形態】
（第１発明の実施の形態）
以下、図ｌ〜４に記載された第１発明について説明する。図１〜４において、１：袋体のフィルム、２：咬合具、３：偏在防止用合成樹脂製シート、３ａ：凹凸加工部３ｂ：平坦部、３ｃ：波型凹凸部、４：天シール、５：サイドシール、６：底シールである。
【００１１】
第１発明は、開口部内側面に互いに咬み合う合成樹脂製咬合具２を備えた合成樹脂製袋体において、袋休収納部側の表裏フィルム１，１間に、保形性を有し前記表裏フィルム１，１に対し内容物を挟み付けた状態となし得る多数の凹凸加工が施された偏在防止用合成樹脂製シート３を介在し、かつ前記咬合具２と前記偏在防止用合成樹脂シート３の凹凸加工部３ａとの間に、内容物が一杯に詰まったときに前記咬合具２に直接内容物による開口圧力がかからないようにするための間隔Ｈを確保するようにして、前記偏在防止用合成樹脂シート３を袋本体表裏フィルム１，１間に接着固定するようにした
ことを特徴とする合成樹脂製咬合具付きの袋体である。
【００１２】
第１発明において、間隔Ｈは内容物の圧力が直接咬合具２にかからないだけの距離が必要である。すなわち、内容物は偏在防止用合成樹脂シート３の凹凸加工部３ａと袋体フイルム１，１間にいわば挟みつけられた状態で収納され、したがって、内容物の移動偏在に伴う圧力が咬合具２に強く働くことが無いため、咬合具２は容易に開かない。
【００１３】
図１の実施形態では、偏在防止用合成樹脂シート３の下端が底シール６に接着固定されている。従って、偏在防止用合成樹脂シート３は袋休ｌ内での咬合具−２方向への移動が制限され、内容物収納による膨らみは咬合具２から距離を置くことになる。また、偏在防止用合成樹脂シート３の位置が余り動かず、内容物の揺動が少ない利点がある。
【００１４】
（第２発明の実施の形態）
つぎに図３，図４に記載された第２発明について説明する。図４，図３において、１１：袋体のフィルム、１２：咬合具、１３：偏在防止用合成樹脂シート、ｌ３ａ：凹凸加工部、１３ｂ：平坦部である。
【００１５】
第２発明は、開口部内側面に互いに咬み合う合成樹脂製咬合具１２を備えた合成樹脂製袋体において、前記袋休の表裏何れか一方について保形性を有し表裏何れか他方に対し内容物を挟み付けた状態となし得る多数の凹凸加工が施された偏在防止用合成樹脂製シー１３により形成し、かつ前記咬合具１２と前記偏在防止用合成樹脂製製シート１３の凹凸加工部ｌ３ａとの間に、内容物が一杯に詰まったときに前記咬合具２に直接内容物による開口圧力がかからないようにするための間隔Ｈを確保する平坦部１３ｂが設けられていることを特徴とする合成樹脂製咬合具付きの袋体である。
【００１６】
その作用は第１発明と同様であるが、表裏２枚のフィルムを用いる場合と比べ、材料が節約できる。加えて製造が簡易化され、コストの低減を計ることができる。フィルム１１と偏在防止用合成樹脂シート１３とは天シール１４、サイドシール１５，底シール１６により接着固定される。第２発明は偏在防止用合成樹脂シート１３が保形性を有するため、全体として剛性の大きい袋体となる。
【図面の簡単な説明】
【図１】第１発明の袋体の断面図である。
【図２】図１のｆ４−ｆ４矢視図である。
【図３】第２発明の袋休の断面図である。
【図４】図３のｆ６−ｆ６矢視図である。
【符号の説明】
１：フィルム
２：咬合具
３：偏在防止用合成樹脂シート
３ａ：凹凸加工部
４：天シール
５：サイドシール
６：底シール
１１：フィルム
１２：咬合具
１３：偏在防止用合成樹脂シート
１３ａ：凹凸加工部
１３ｂ：平坦部
１４：天シール
１５：サイドシール
１６：底シール
【図１】
0003748163.tif 000002
【図２】
0003748163.tif 000003
【図３】
0003748163.tif 000004
【図４】
0003748163.tif 000005